(57)【要約】      （修正有）【課題】社交ダンスのホールド姿勢を正しく矯正するための方法で、練習者単独のホールド姿勢の練習だけではなく、カップルを組んで踊るときのホールド姿勢を保つ練習にも使用でき、持ち運びが自在な携帯型ダンス姿勢矯正器具に関する。【解決手段】直線状のパイプの両端部に左右の肘を内側から支えるＵ字型部品アームハンガー１を回転自在で装備し、両端のＵ字型部品を保持する直線状のパイプ部を伸縮自在としている。伸縮動作は直線状のパイプ内部を通した紐５により行い、この紐を外部から引き出したり緩めたりして全体の長さを調節する。更に、パイプ外部に引き出された紐５を肩や首など、体の必要な部位に巻き、本ダンス姿勢矯正器具をカップル練習者それぞれの肘で挟むことで、ダンスのホールド姿勢は正しく保たれ、この状態で反復練習すればダンス教師に頼ることなく練習者自身で短期間に正しい姿勢を身に付けることが出来る。【選択図】図１
2010259765.tif 000002
【特許請求の範囲】
【請求項１】
社交ダンスの練習に於いて、正しいホールド姿勢を身に付けるため、直線状のパイプの両端部に、単独練習者の両肘、またはカップル練習での男女それぞれ一方の肘を内側から押すためのＵ字型形状の部品を回転自在に装着してなるダンス姿勢矯正器具
【請求項２】
上記ダンス姿勢矯正器具の直線状のパイプ部にバネなどの弾性体を内蔵し、中央部でネジ結合してなる左右一対の大口径パイプと、その大口径パイプの左右両端に挿入された一端に回転自在のＵ字型形状の部品を持つ小口径パイプからなり、伸縮を自在とした［請求項１］に記載の社交ダンス姿勢矯正器具。
【請求項３】
上記［請求項２］に記載の大口径パイプに挿入された小口径パイプの端部に紐の一端を繋ぎ、この紐に大口径パイプ、及び内蔵された伸縮用のバネなどの弾性体を通し、大口径パイプ端部に設けられた穴から紐を外部に取り出し、この紐を介し全ての構成部品を連結させ、紐を引いたり緩めたりするだけで、簡単に組み立て、分割、長さの調整が出来るよう携帯用の利便性を高めたことを特長とする［請求項１］に記載の社交ダンス姿勢矯正器具。
【請求項４】
直線状のパイプ部の中央部と左端部、中央部と右端部それぞれに、両端が繋がっている２本の長さ調節可能な、首掛け、または肩掛け用の紐を有する［請求項１］に記載のダンス姿勢矯正器具
【請求項５】
カップル練習のホールド姿勢に於いて、男女の頭の位置関係をダンスの規定位置に矯正するための折りたたみ方式の板状部品を有する［請求項１］に記載のダンス姿勢矯正器具
【発明の詳細な説明】
【技術分野】
【０００１】本発明は、社交ダンスに於けるホールド姿勢を、単独練習、カップル練習を問わず、短期間に、且つ正しく習得するためのダンス姿勢矯正器具に関する。
【背景技術】
【０００２】従来のダンス姿勢矯正器具は、個人単独の練習用が多く、またカップル練習用の矯正器具は存在しても拘束されすぎて装着したままの練習には不向きであった。また利便性はなく、簡単に持ち運びが出来、どこでも再組み立て、再調整可能なダンス姿勢矯正器具はなかった。【０００３】例えば、練習者の上腕部、首、背骨など体のほとんどの部分を矯正器具で拘束し、更に、パートナーの腹部をベルトで拘束し体の自由度を阻害するものであったり（特許文献２）、その他、背筋と肩を真っ直ぐに保つために背骨と肩に十文字様の組合せ棒を練習者に装着したり（特許文献４）、更に床に対して真っ直ぐに立てるように姿勢の傾斜を感知する姿勢センサーを持つ姿勢矯正器具を装着したり（特許文献３）、肩越しに両腕を固定する矯正器具を装着したり（特許文献５）、いずれの場合も練習者を強制的に拘束するためダンス本来の滑らかな動作に必要な自由度を得ることは出来ず、練習する時には違和感を覚えることが多かった。【０００４】また、これらのダンス姿勢矯正器具は、分解可能なものであっても最低限ボストンバッグ程度の大きさになってしまい、再組み立てや再調整にも時間がかかり、練習場に持ち運んで手軽に使用するには簡便性に欠けていた。【０００５】一方、携帯性があり、弾力性に優れたゴムやベルトなどを用いた姿勢矯正器具も提供されているが、背筋を真っ直ぐさせるための、背中に装着するベルト状のサポータであったり（特許文献１）、ベルトやゴムで構成されたダンス姿勢矯正器具自体を練習者の肩胛骨や両肘に体に巻きつけたりするもので（特許文献６）、ホールド姿勢を正しく矯正するためには不十分であった。【０００６】
【先行技術文献】
【特許文献】
【０００７】
【特許文献１】特許公開２００４−１６６９２９
【特許文献２】特許公開２００２−２８２６９
【特許文献３】特許公開平０９−１９２２７９
【特許文献４】公開実用新案公報昭６３−１８４０７０
【特許文献５】実開平０３−０５６４６６
【特許文献６】実登第３１１４４８９
【発明の概要】
【発明が解決しようとする課題】
【０００８】かくして、本発明は、社交ダンスの正しいホールド姿勢を修得するために、一つのダンス姿勢矯正器具だけで、練習者単独の練習にも、カップル練習にも同じ方法で使用でき、且つダンスの個性表現を損なうことがないよう回転動作、伸縮動作の自由度を持たせ、更には手軽に携帯が可能で、競技場など現地でも簡単に再組み立てして確認練習が出来る利便性の高いダンス姿勢矯正器具を提供しようとするものである。
【課題を解決するための手段】
【０００９】かかる課題を解決するために本発明は、図１に記載のように単独練習にも、カップル練習にも使えるよう直線状のパイプの両端にＵ字型のアームハンガー１を回転自在で取り付けたシンプルな構造となっている。更には、練習者の体格やダンスの種類に合わせることが出来るように本ダンス姿勢矯正器具の直線状のパイプ部は伸縮自在としている。【００１０】図１１に記載のように、練習者が単独で練習するときは、伸縮自在である本ダンス姿勢矯正器具の両端に装着されているＵ字型アームハンガー１を両肘の内側で挟み、そのホールド姿勢を保ったまま練習すればよい。また、図８に記載のように、カップルでのホールド練習の場合は、本ダンス姿勢矯正器具の一方のＵ字型アームハンガー１を、男性の左手肘の内側に押し当て、反対側のＵ字型アームハンガー１を、女性の左手肘の内側に押し当て、男女のそれぞれの肘で本ダンス姿勢矯正器具を挟む形をとると大きな美しいホールド姿勢が取れ、そのホールド姿勢を保ったままダンスの反復動作練習をすることで短期間に上達できる。【００１１】更に、社交ダンスに於いては、ダンス姿勢矯正器具を装着して練習しても、各カップルの個性を表現するために、カップル間の肘の捩れや伸縮の自由度を阻害しないほうが良い。このため、図３に記載のように、本ダンス姿勢矯正器具の伸縮性を持つ直線状のパイプ本体の両端には、Ｕ字型アームハンガー１が回転自在で取り付けられている。Ｕ字型アームハンガー１を保持する小口径パイプ２は大口径パイプ３に挿入されているため、両端に装着されているＵ字型アームハンガー１の間隔は伸縮できる。また両端には前述の回転自在のＵ字型アームハンガー１が左右の肘に内側から装着されているため、練習中に本ダンス姿勢矯正器具が落下することはない。【００１２】また、上記記載の直線状のパイプ部内には紐５が通されており、この紐５を介し、本ダンス姿勢矯正器具の伸縮、分割、及び長さの調節を自在としている。詳しくは、紐５の一端をアームハンガー１の装着部と反対側の小口径パイプ２の端部に繋ぎ、もう一方の端部は大口径パイプ３と、この大口径パイプに内蔵してあるバネ４の内径側を通った後、大口径パイプ３の端部に設けられた小穴から外部へ取り出される。
これによりパイプ構造体の部品は全てこの紐５で連結されている。【００１３】然るに、この紐５を小口径パイプ２が大口径パイプ３本体から抜き出せるまで緩め、中央部の連結管６のネジ部を外して分割すれば、各構成部は４分割された状態で小型になり、バッグに入れて携帯が可能となる。【００１４】また、この紐５を引っ張れば、全ての部品が紐５で手繰り寄せられ、おのずから再組み立てが出来る構造になっている。このことにより簡便な携帯型ダンス姿勢矯正器具を提供することが出来るのである。【００１５】また、この紐５の引き出し度合いを加減することで、大口径パイプ３に内蔵されたバネ４の圧縮長が変わり、本ダンス姿勢矯正器具の全長も調節できる。よって、練習者やカップルの体格やホールド姿勢の大きさに合わせて、本ダンス姿勢矯正器具の長さを調節することが出来る。長さの調節後、紐止め１７で固定すればそれ以上長く伸びることはない。【００１６】上記調節により本ダンス姿勢矯正器具の長さは決定され、伸ばす方向には紐５で拘束されているためそれ以上長く伸ばすことはできない。しかしながら、紐５を使用していることから大口径パイプに内蔵のバネ４を左右の肘で圧縮することは可能で、社交ダンスの表現力を向上させるために必要とされる縮み方向の弾力性は確保される。【００１７】このように、本ダンス姿勢矯正器具は、回転、伸縮自在の構造になっているが、本ダンス姿勢矯正器具を恒久的に固定して使用する方法を否定するものではない。【００１８】また、本ダンス姿勢矯正器具本体には図１に記載のように、男性用、女性用の紐５が装備され、首に掛けるようになっている。正しいホールド姿勢を取った後、それぞれに対応した紐５を男女の首に掛け、その紐５が緩まず張ったままの状態を保つようにしながら練習をすることでカップル練習者の首とホールドの位置関係が正しく取れるようになる。【００１９】単独で練習するときも方法は同じで、図１１に記載のように、それぞれの性別にあわせて紐５を選択し首に掛けて同じように紐５を張ったまま緩まないようにして練習すれば同じ効果が得られる。【００２０】また、ダンスの如何なる動作によってもカップルの頭の位置関係がお互いに近づき過ぎたり、遠ざかったりしないほうがよい。社交ダンスに於いて美しいダンスをするためには、図９に記載のように正しい男女間の頭の位置関係をダンスの規定位置に保ち続けることは非常に大切である。【００２１】カップルの頭の位置関係を規定に保つため、本ダンス姿勢矯正器具の大口径パイプ部３と直交して、男性用と女性用の２組のネック矯正ロッド１４が対向して装着されており、図１０に記載のように、お互いの頭の位置が近づき過ぎないようになっている。このネック矯正ロッド１４は大口径パイプ３に対しスライドできるようになっており、練習者の体格やホールド姿勢に応じ、位置を調節できる。またこのネック矯正ロッド１４は、収納時には根元部分から折りたたみ、携帯出来るようにしている。
【発明の効果】
【００２２】本発明のダンス姿勢矯正器具は、両端に取り付けられているＵ字型のアームハンガー１を肘の間に挟んでホールド姿勢を矯正するものであり、社交ダンスの練習に於いて、本ダンス姿勢矯正器具の持つ回転動作、伸縮動作の自由度を活かし、練習者本人だけでも、またカップルを組んで練習しても、どちらの形態でも正しい滑らかなホールド姿勢を身につけることができる。【００２３】また、本発明のダンス姿勢矯正器具は、アルミニュームなど軽量な素材を使い小型に分割できるように作られているため、通常の大きさのバッグに入れてどこにでも携帯が出来、再組み立ても簡単にできる。【００２４】従来正しいホールド姿勢は、長い時間をかけて身に付けなければならなかったが、本ダンス姿勢矯正器具を用い反復練習することで、短時間で正確なホールド姿勢を身に付けることが出来る。また、小型で携帯型であることから競技会などにも持参でき、競技直前のホールド姿勢の確認にも使用できる。
【図面の簡単な説明】
【００２５】図面は本発明の概要を表す全体構成図、機能を表す内部詳細図、携帯を可能にするための説明図、及び本ダンス姿勢矯正器具の使用事例を表す説明図に大別される。
図１、図２、図３は全体構成図、図４、図５は内部詳細、図６、図７は携帯型の説明図、図８、図９、図１０はカップル練習状態の俯瞰図であり、図１１、図１２、図１３、図１４は単独での練習状態を表している。【００２６】
【図１】本発明によるダンスのホールド姿勢を矯正するためのダンス姿勢矯正器具の全体構成を表す全体構成図である。
【図２】本発明による左右一対のパイプの連結部と、内蔵されているバネの全体の位置関係を表す配置関係図である。
【図３】本発明によるダンス姿勢矯正器具に於ける、各部の自由度に関する説明図である。
【図４】本発明によるダンス姿勢矯正器具を、腕に装着するための端部の構造と、伸縮を可能にする構造を表す両端部の詳細断面図である。
【図５】本発明によるダンス姿勢矯正器具の中央部の構造を表す断面図で、左右一対のパイプの連結とバネによる伸縮部を表す中央連結部の詳細断面図である。
【図６】持ち運びのために、本発明によるダンス姿勢矯正器具を４分割したときの構造を表すダンス姿勢矯正器具を収納するための分割説明図である。
【図７】持ち運び用ダンス姿勢矯正器具携帯用の収納ケースの図例である。
【図８】ネック矯正ロッドを使わず、ダンス姿勢矯正器具本体のみを使い、カップルで練習しているときのカップル練習事例の俯瞰図である。
【図９】本発明によるダンス姿勢矯正器具のネック矯正ロッドを使い、カップル練習におけるネックの位置関係を練習しているときの使用事例の俯瞰図である。
【図１０】ネック矯正ロッドの使用事例で、カップルのネックとネック矯正ロッドの位置関係を表す俯瞰図である。
【図１１】本発明によるダンス姿勢矯正器具を単独で使って練習している単独練習事例の正面図である。
【図１２】本発明によるダンス姿勢矯正器具に装着されている紐５を肩に掛け単独練習しているときの使用事例の俯瞰図である。
【図１３】本発明によるダンス姿勢矯正器具に装着されている紐５を首に掛け単独練習しているときの使用事例の俯瞰図である。
【図１４】本発明によるダンス姿勢矯正器具本体を練習者が両手のひらに挟み、単独で練習しているときの使用事例の俯瞰図である。
【発明を実施するための形態】
図１は、本発明のダンス姿勢矯正器具の一実施例を表す全体的構成図である。本ダンス姿勢矯正器具は、直線状構造のパイプの両端に外側を開放とするＵ字型をしたアームハンガー１が回転自在で装着されていることを特長としており、単独練習、及びカップル練習にも適用できる。
【００２７】更には、上記直線状構造のパイプ部は、大口径パイプ３と小口径パイプ２の２種類のパイプで構成され伸縮自在となっている。この小口径パイプ２は、大口径パイプ３に挿入され、予め大口径パイプ３に内蔵されているバネ４によって伸縮自在になっている。図２に記載のように、左右一対の大口径パイプ３は中央部にある連結管６によってネジ締結されている。その結果、図１に示すように、左右全部の部品が直線状に一体化され、両端にＵ字型のアームハンガー１を持つ伸縮自在のパイプ構造体を形成する。
【００２８】また、本ダンス姿勢矯正器具は、練習者の体格やダンスの種類によって異なるホールドの大きさに合わせ、長さを調節できるようになっている。図４に記載のように、前述のＵ字型アームハンガー１を有する小口径パイプ２のもう一方の端部には、紐締結止めネジ２０が取り付けられ、本ダンス姿勢矯正器具を伸縮させるための紐５の端部が繋がっている。図５に記載のように、小口径パイプ２の端部はバネ４と接し、紐５は大口径パイプおよび大口径パイプに内蔵されたバネの内径を通り、大口径パイプ端の小穴から外部へ取り出されている。
【００２９】然るに、この紐５を引いたり緩めたりすることで内蔵されているバネが伸縮し、本ダンス姿勢矯正器具の長さを変化させることができる。即ち、練習者のホールドの大きさに合わせた長さに調節し、位置が決まれば紐止め１７を動かし緩み止めをすればよい。
【００３０】紐５のもう一方の終端部には、フック１８が付けられており、大口径パイプ３に取り付けられたフックハンガー１９に繋ぎループを形成する。この紐５は充分長く外部に出ており、この紐５を練習者の首に掛け、長さを調節後、紐５が緩まないよう保持しながら練習すれば正しいホールド姿勢を習得出来る。
【００３１】また、両端に取り付けられているスカーフ１２の揺れ具合を見れば、練習の動作の速さや方向などが判断できる。個人、カップルともに同じ方法で矯正が可能である。
【００３２】本ダンス姿勢矯正器具の中央部近傍には、ネック矯正ロッドが２本対向して装着されている。これはカップル双方の頭の位置をダンスの規定位置関係になるよう矯正するためのもので練習者により体格など個人差があるため横スライド自在となっている。図５に記載のように、ネック矯正ロッド１４は、ネック矯正ロッド用ブロック１５に、ネック矯正ロッド用ヒンジピン１６で大口径パイプ３に緩やかに固定されている。これによりネック矯正ロッド１４は、大口径パイプ３に沿ってスライドすることができ、練習者に合わせて、ネック矯正ロッド１４の位置を調整することができる。また、ネック矯正ロッド１４は一方向にだけ折りたたむことが可能で、収納時には折りたたんで収納ケース１３に入れ、携帯が簡単に出来るようになっている。
【００３３】図３には、本ダンス姿勢矯正器具の自由動作部及び拘束部を表している。肘７に押し当てるアームハンガー１は、小口径パイプ２に対して回転自在で、練習者の左右の肘７で生じる捩れ動作に対応している。また、練習者のホールドの大きさやダンスの種類に合わせるため、Ｕ字型アームハンガー１が回転自在で装着された小口径パイプ２は大口径パイプの内側に挿入されており、紐５を引いたり緩めたりすることで伸縮自在としている。更には、カップル練習者の頭の位置関係をダンス規定位置に正しく保つためのネック矯正ロッド１４は、カップル毎に合わせることが出来るように横スライド自在となっている。
【００３４】また一方で、止めネジなどで図３記載の全ての自由度を固定すれば、腕、肘、手までの角度やネックの位置関係など自由度がなくなり、全く自由度のない拘束されたダンス姿勢矯正器具を提供することが出来る。即ち、図３は回転自在部を表すとともに全ての自由動作部を拘束したダンス姿勢矯正器具として提供出来ることも表している。
【００３５】本ダンス姿勢矯正器具を携帯自在とするときの分割状態を図６に表している。
分割手順は、まず連結管６のネジ部を緩め、本ダンス姿勢矯正器具を左右に分割する。次に、小口径パイプ２が大口径パイプ３から完全に引き抜かれ、二つに分割されるまで紐止め１７を緩め、図６に記載のように、大口径パイプ３と小口径パイプ２を紐５で繋がった状態のまま分割する。この時ネック矯正ロッド１４は図６記載のように折りたたむ。
【００３６】再組み立ては、大口径パイプ３に設けられた穴から外部に出ている紐５を引くことで、この紐５に連結されている全ての部品が手繰り寄せられ、小口径パイプ２はバネが内蔵されたままの大口径パイプ３に引き込まれ、左右それぞれＵ字型アームハンガー１を有する小口径パイプ２が大口径パイプ３に挿入された直線状のパイプ構造体が出来る。その後、左右の大口径パイプ本体部を連結管６にネジ締結するだけで簡単に再組み立てができる。
【００３７】即ち、全ての部品は紐５で繋がっているため部品を失くすこともなく、紐５を引いたり緩めたりするだけで、専門的な知識がなくても誰にでも簡単に分割、再組み立てが出来る特長を持っている。
【００３８】図８、図９、図１０は、本ダンス姿勢矯正器具を使用し、カップルで練習するときの練習方法の参考例を示す俯瞰図である。
【００３９】図１１、図１２、図１３、図１４は、練習者が単独でホールドの練習をしている状態の図例で、図１１は正面図、そのほかは俯瞰図ある。
【実施例】
【００４０】図１に本発明の実施例の全体概要を表している。本ダンス姿勢矯正器具は練習者個人の両肘７や、又はカップルの男女それぞれの肘７で挟んで使用する。この左右の肘の間隔は身長やダンスの種類などで変化するので、長さを調節する必要がある。
この肘の間隔は、子供の場合約６０ｃｍから、標準的な大人の場合は約１２０ｃｍ程度に及ぶ。本実施例では標準的な身長１５０ｃｍから１８０ｃｍくらいの踊り手を対象にした。【００４１】図３及び図４に示すように、本ダンス姿勢矯正器具の両端には、開口幅１００ｍｍのＵ字型のアームハンガー１が、外径１４ｍｍｘ内径１１ｍｍｘ長さ３００ｍｍの小口径アルミパイプ２に外向きに回転自在で取り付けられている。図４に記載のように、この小口径アルミパイプ２の反対側の端部は、外径１８ｍｍｘ内径１５ｍｍｘ長さ３００ｍｍの大口径アルミパイプ３に挿入されている。大口径パイプ３の内部にはコイル径１３ｍｍの圧縮バネ４が内蔵され、小口径パイプ２の端部を外側へ押す構造となっている。これにより、アームハンガー１は回転自在で、また小口径パイプ２を含むアームハンガー保持部全体は伸縮自在になっている。本ダンス姿勢矯正器具は図２に示すように左右一対のアーム保持部が中央部で連結管６、Ｍ１６ｘ３０Ｌの止めネジで連結されている。【００４２】また、練習者の頭の位置が近づきすぎない正しいダンス規定位置に保つため、幅３０ｍｍｘ長さ３００ｍｍｘ厚さ５ｍｍのネック矯正ロッド１４が男性用、女性用それぞれ相対する位置にスライド自在で直線状のパイプ構造体に取り付けられている。
このネック矯正ロッド１４は、図６で分るように、持ち運び時や使用しないときは折りたたみむようになっている。【００４３】図４、図５に記載しているように、アームハンガー１と小口径パイプ２で構成されるアームハンガー保持部の端部には紐５が繋がっている。この紐５は大口径パイプ３に内蔵してあるバネ４の内径部を通った後、バネ４のストッパーでもあるＭ３ｘ１８Ｌの止めネジを介し、大口径パイプの中央部の設けられた５ｍｍの穴から外部へ取り出されている。よってこの紐を引いたり、緩めたりすることで、左右のアームハンガー１の間隔を調整することが出来、練習者のホールドの大きさに合わせることができる。【００４４】更に、上記紐５は大口径パイプ３にループ状に連結されており、本ダンス姿勢矯正器具を使って、正しいホールド姿勢を身に付けるために、男性、女性ともに首に掛けて練習出来るようになっている。【００４５】本ダンス姿勢矯正器具を分割したときの姿を図６に記載している。分割方法は、まず、中央部の連結管６、Ｍ１６ｘ３０Ｌの止めネジ部から２分割する。その後、アームハンガー保持部が大口径パイプから抜き取れるまで紐５を緩める。これを左右それぞれに対して実施すれば、本ダンス姿勢矯正器具は４分割される。この状態に於いても、すべての部品は紐５で繋がったままになっているので部品をなくす心配はない。【００４６】再組み立ては、単純にこの紐５を引き出せば、すべての部品が手繰り寄せられ、アームハンガー１を保持している小口径パイプ２はバネを内蔵した大口径パイプ３に引き込まれる。その後、紐５を紐止め１７で止め、連結管６、Ｍ１６ｘ３０Ｌ止めネジに大口径パイプ３をねじ込むだけで再組み立ては完了する。
【符号の説明】
【００４７】１．アームハンガー
２．小口径パイプ
３．大口径パイプ
４．バネ
５．紐
６．連結管：Ｍ１６ｘ３０Ｌ止めネジ
７．練習者の肘
８．アームハンガー止めネジ
９．アームハンガー用スポンジ
１０．スカーフハンガー
１１．スカーフ止めリング
１２．スカーフ
１３．収納ケース
１４．ネック矯正ロッド
１５．ネック矯正ロッド用ブロック
１６．ネック矯正ロッド用ヒンジピン
１７．紐止め
１８．フック
１９．フックハンガー
２０．紐締結用止めネジ
２１．紐用ループ金具
２２．紐伸縮用止めネジ
【図１】
2010259765.tif 000003
【図２】
2010259765.tif 000004
【図３】
2010259765.tif 000005
【図４】
2010259765.tif 000006
【図５】
2010259765.tif 000007
【図６】
2010259765.tif 000008
【図７】
2010259765.tif 000009
【図８】
2010259765.tif 000010
【図９】
2010259765.tif 000011
【図１０】
2010259765.tif 000012
【図１１】
2010259765.tif 000013
【図１２】
2010259765.tif 000014
【図１３】
2010259765.tif 000015
【図１４】
2010259765.tif 000016